(57)【要約】      （修正有）【課題】所望の電圧の場合のみに電気信号を送受信し、且つ、ノイズなどを低減することができるテレビ端子を提供する。【解決手段】電気信号を入出力するテレビ端子１００であって、電気信号を入力する入力部材１２ＩＮと、入力した電気信号を出力する出力部材１２ＯＵＴと、入力部材１２ＩＮと出力部材１２ＯＵＴとを電気的に接続する接続部材２０と、接続部材２０を包含するケース部材１１とを有し、ケース部材１１は、入力部材１２ＩＮと接続部材２０の入力接続部および出力部材１２ＯＵＴと接続部材２０の出力接続部を収容して保護し、接続部材２０は、入力部材１２ＩＮが入力した電気信号が所望の電圧の場合には該電気信号を出力部材１２ＯＵＴに出力し、入力部材１２ＩＮが入力した電気信号が所望の電圧を超える場合には該電気信号を出力部材１２ＯＵＴに出力しない。【選択図】図２
0003211526.tif 000002
【実用新案登録請求の範囲】
【請求項１】
電気信号を入出力するテレビ端子であって、
前記電気信号を入力する入力部材と、
前記入力部材が入力した前記電気信号を出力する出力部材と、  
前記入力部材と前記出力部材とを電気的に接続する接続部材と、
前記接続部材を包含するケース部材と
を有し、
前記ケース部材は、前記入力部材と前記接続部材の入力接続部および前記出力部材と前記接続部材の出力接続部を収容して保護し、
前記接続部材は、前記入力部材が入力した前記電気信号が所望の電圧の場合には該電気信号を前記出力部材に出力し、前記入力部材が入力した前記電気信号が所望の電圧を超える場合には該電気信号を前記出力部材に出力しない、
ことを特徴とするテレビ端子。
【請求項２】
前記入力部材、前記出力部材および前記接続部材は、同軸且つ直列に配置されている、ことを特徴とする請求項１に記載のテレビ端子。
【請求項３】
前記電気信号は、ＶＨＦ用信号、ＵＨＦ用信号、ＢＳ放送用信号若しくはＣＳ放送用信号、または、２Ｋ放送用信号、４Ｋ放送用信号若しくは８Ｋ放送用信号のテレビ放送受信信号である、
ことを特徴とする請求項１または請求項２に記載のテレビ端子。
【考案の詳細な説明】
【技術分野】
【０００１】
本考案は、落雷対策などのフィルタを内蔵し、高性能化を実現したテレビ端子に関する。
【背景技術】
【０００２】
テレビアンテナやＣＡＴＶ伝送路などから宅内に引き込まれた信号は、同軸ケーブル等を介してテレビ端子まで伝送される。テレビ端子からは例えばテレビ受像機やビデオに接続される。業者や居住者は、接続コネクタ（ケーブルなど）を用いてテレビ端子からテレビ受像機までを接続する。特許文献１では、テレビ端子とテレビ用機器との間を最適寸法で接続する目的で、アウトレット用端子は、同軸ケーブルの一方側に備えられたＦ型プラグからなり、該Ｆ型プラグは、前記ケース内に収容された軸体であって、該ケース内に形成した枢着部に枢着されて、前記同軸ケーブルを周囲に巻回し且つその同軸ケーブルを巻戻し方向に付勢する付勢手段が内蔵された軸体に対して繰出し・巻戻し自在に構成されており、前記同軸ケーブルの他方側には接続部が備えられ、該接続部は前記軸体であって該軸体の軸線上となる位置に固着させてあり、前記接栓は前記ケースに一体に形成され、前記軸体に備えた接続部と前記ケースに備えた接栓座とは、前記ケース内部において、前記軸体の回転動作においても前記接続部と接栓座とを電気的に接続可能な接続手段を備え、パネルの前面には巻戻しの操作手段を備えた技術を開示している。特許文献２では、第１〜第３の壁面出力端子を有し、入力信号が、まず分波器によってＢＳ・ＣＳ放送信号とＶＨＦ・ＵＨＦ放送信号（又はＣＡＴＶ信号）とに分波され、ＢＳ・ＣＳ放送信号は第１の壁面出力端子から出力され、ＶＨＦ・ＵＨＦ放送信号（又はＣＡＴＶ信号）は分配器によって分配されて第２の壁面出力端子及び第３の壁面出力端子からそれぞれ出力されるように構成したテレビ端子に関する技術を開示している。
【先行技術文献】
【特許文献】
【０００３】
【特許文献１】特開２００６−６６１５８号公報
【特許文献２】特開２００６−３３９７４４号公報
【考案の概要】
【考案が解決しようとする課題】
【０００４】
落雷対策などの所定外の電圧（サージ電圧など）が発生した場合に、接続先の受信器（テレビ受像機やビデオなど）が故障する場合がある。また、近年、更なる小型化、高性能化を目的に、ノイズなどを低減することができるテレビ端子が求められている。
【０００５】
本考案は、所望の電圧の場合のみ電気信号を送受信し、且つ、ノイズなどを低減することができるテレビ端子を提供することを目的とする。
【課題を解決するための手段】
【０００６】
上記課題を解決するために、本考案の一つの実施形態は、電気信号を入出力するテレビ端子であって、前記電気信号を入力する入力部材と、前記入力部材が入力した前記電気信号を出力する出力部材と、前記入力部材と前記出力部材とを電気的に接続する接続部材と、前記接続部材を包含するケース部材とを有し、前記ケース部材は、前記入力部材と前記接続部材の入力接続部および前記出力部材と前記接続部材の出力接続部を収容して保護し、前記接続部材は、前記入力部材が入力した前記電気信号が所望の電圧の場合には該電気信号を前記出力部材に出力し、前記入力部材が入力した前記電気信号が所望の電圧を超える場合には該電気信号を前記出力部材に出力しない、ことを特徴とするテレビ端子を提供する。
【０００７】
本考案の他の実施形態は、上記のテレビ端子であって、前記入力部材、前記出力部材および前記接続部材は、同軸且つ直列に配置されている、ことを特徴とするテレビ端子であってもよい。
【０００８】
本考案の他の実施形態は、上記のいずれか１つのテレビ端子であって、前記電気信号は、ＶＨＦ用信号、ＵＨＦ用信号、ＢＳ放送用信号若しくはＣＳ放送用信号、または、２Ｋ放送用信号、４Ｋ放送用信号若しくは８Ｋ放送用信号のテレビ放送受信信号である、ことを特徴とするテレビ端子であってもよい。
【考案の効果】
【０００９】
本考案に係るテレビ端子によれば、所望の電圧の場合のみ電気信号を送受信し、且つ、ノイズなどを低減することができる。
【図面の簡単な説明】
【００１０】
【図１】本考案の実施形態に係るテレビ端子の一例を説明する概略外観図である。
【図２】本考案の実施形態に係るテレビ端子の一例を説明する概略分解図である。
【図３】本考案の実施形態に係るテレビ端子の接続部材の一例を説明する説明図である。
【考案を実施するための形態】
【００１１】
実施形態に係るテレビ端子の例を用いて、本考案を説明する。なお、本考案は、以後に説明するテレビ端子以外でも、電気信号を伝送するもの（部品、装置、機器、器具など）であれば、いずれのものにも用いることができる。なお、テレビ端子の形状、素材、色は、特に限定されない。テレビ端子の色は、透明、半透明、色付きのものであってもよい。テレビ端子の色は、例えば使用者（消費者）の趣味趣向に合わせた柄のもの（例えば透明、絵柄、広告宣伝表記など）であってもよい。また、伝送する電気信号は、ＶＨＦ用信号、ＵＨＦ用信号、ＢＳ放送用信号およびＣＳ放送用信号、及び、２Ｋ放送用信号、４Ｋ放送用信号および８Ｋ放送用信号のテレビ放送受信信号、並びに、その他電気的に伝送できる信号である。２Ｋ放送（例えばハイビジョン放送）は水平方向に３８４０画素、垂直方向に１０８０画素の解像度の映像放送であり、４Ｋ放送は水平方向に３８４０画素、垂直方向に２１６０画素の解像度の映像放送であり、８Ｋ放送は水平方向に７６８０画素、垂直方向に４３２０画素の解像度の映像放送である。
【００１２】
以後に、本考案を説明する。
【００１３】
図１乃至図３を用いて、本考案の実施形態に係るテレビ端子の構成を説明する。ここで、図１（ａ）は、本考案の実施形態に係るテレビ端子１００の一例を説明する正面図である。図１（ｂ）は、本考案の実施形態に係るテレビ端子１００の一例を説明する背面図である。図１（ｃ）は、本考案の実施形態に係るテレビ端子１００の一例を説明する底面図である。図２は、本考案の実施形態に係るテレビ端子１００の一例（内部の例）を説明する概略分解図である。図３は、本考案の実施形態に係るテレビ端子１００の接続部材２０の一例を説明する説明図である。
【００１４】
図１乃至図３を用いて、本考案の実施形態に係るテレビ端子１００を説明する。なお、図１等に示すテレビ端子の構成等は一例であり、本考案は図１等に示すテレビ端子等に限定されるものではない。下記にて、各構成を具体的に説明する。
【００１５】
図１および図２に示すように、本考案に係るテレビ端子１００は、音声、映像またはその信号（以下、「電気信号」という。）を双方向に入出力するものである。テレビ端子１００は、本考案では、電気信号を入力する入力部材１２ＩＮと、入力部材１２ＩＮが入力した電気信号を出力する出力部材１２ＯＵＴと、入力部材１２ＩＮと出力部材１２ＯＵＴとを電気的に接続する接続部材２０と、接続部材２０を包含するケース部材１１とを有する。
【００１６】
本考案に係るケース部材１１は、接続部材２０を包含し、テレビ端子１００の外形を形成する筐体である。より具体的には、図１および図２に示すように、ケース部材１１は、入力部材１２ＩＮと接続部材２０とを接続する入力接続部（例えば図３の２１）および出力部材１２ＯＵＴと接続部材２０とを接続する出力接続部（例えば図３の２２）を収容して保護する。なお、ケース部材１１は、アクリル、シリコン、塩化ビニル、合成樹脂又はエンジニアリングプラスチックを用いることができる。また、本考案に係るケース部材１１の大きさは、特に限定されない。本考案に係るケース部材１１の大きさは、設計、実験、計算などで予め定められる大きさとすることができる。
【００１７】
これにより、本考案に係るテレビ端子１００は、ケース部材１１を用いて入力部材１２ＩＮ、出力部材１２ＯＵＴおよび接続部材２０を収容して保護することができるので、伝送路の錆びを防止し、且つ、ノイズの侵入を低減または防止することができる。
【００１８】
本考案に係るケース部材１１は、図２に示すように、入力部材１２ＩＮ、出力部材１２ＯＵＴおよび接続部材２０を同軸且つ直列に配置している。これにより、本考案に係るテレビ端子１００は、伝送路（入力部材１２ＩＮ、出力部材１２ＯＵＴおよび接続部材２０）を直列に配置することができるので、構造を簡略化および小型化でき、ノイズの侵入を低減でき、且つ、製造コストを低減することができる。
【００１９】
本考案に係る接続部材２０は、入力部材１２ＩＮと出力部材１２ＯＵＴとを電気的に接続するものである。また、本考案に係る接続部材２０は、入力部材１２ＩＮが入力した電気信号が所望の電圧の場合には電気信号を出力部材１２ＯＵＴに出力し、入力部材１２ＩＮが入力した電気信号が所望の電圧を超える場合には電気信号を出力部材１２ＯＵＴに出力しないフィルタである。ここで、所望の電圧とは、設計、実験、計算などで予め定められる電圧とすることができる。所望の電圧とは、例えば接続先の受信器（テレビ受像機やビデオなど）が故障しない範囲内の電圧としてもよい。
【００２０】
接続部材２０は、例えば図３に示すものであってもよい。なお、図３に示す接続部材２０は一例であり、本考案は図３に示す接続部材２０に限定されるものではない。接続部材２０のフィルタ機能は、公知の技術を用いることができる。また、接続部材２０のフィルタ機能は、例えば高い電圧がかかると通電する素子を利用して、所望の電圧では素子は通電しないで、所望の電圧を超える場合（落雷などによりサージ電圧が発生した場合）に素子に電流が流れる構成（サージブロックする構成）であってもよい。
【００２１】
これにより、本考案に係るテレビ端子１００は、接続部材２０を用いて、入力部材１２ＩＮが入力した電気信号が所望の電圧の場合にのみ出力部材１２ＯＵＴに出力することができるので、落雷対策などの所定外の電圧（サージ電圧など）が発生した場合に接続先の受信器（テレビ受像機やビデオなど）が故障することを防止することができ、所望の電圧の場合にのみ電気信号を送受信することができる。
【００２２】
以上のとおり、本考案に係るテレビ端子によれば、所望の電圧の場合にのみ電気信号を送受信し、且つ、ノイズなどを低減することができる。また、本考案に係るテレビ端子によれば、伝送路を直列に配置することができるので、小型化、高性能化を実現でき、デザイン性の高いテレビ端子を提供することができる。更に、本考案に係るテレビ端子によれば、コンパクトで持ち運びすることができ、容易に利用することができ、構造がシンプルで、安価で製造することができ、安価で販売することができる。
【００２３】
また、本考案に係るテレビ端子によれば、出力部材１２ＯＵＴ（接続ポート）にねじ式コネクターを用いることができるので、容易に脱着可能で不意に外れることもなく、錆びに強く、ノイズの侵入を低減することができる。また、本考案に係るテレビ端子によれば、出力部材１２ＯＵＴ（接続ポート）にねじ式コネクターを用いることができるので、汎用性が高く、あらゆる機器を接続可能にすることができる。
【００２４】
以上のとおり、本考案に係る実施形態について説明したが、本考案は上記の実施形態に限定されるものではない。すなわち、本考案は、実用新案登録請求の範囲に記載の内容に基づいて、様々に変形、変更又はその他任意に改変され得る。
【符号の説明】
【００２５】
１００  ：  テレビ端子
１１  ：  ケース部材
１２ＩＮ：  入力部材
１２ＯＵＴ：  出力部材
２０  ：  接続部材（サージフィルタなど）
２１  ：  入力接続部
２２  ：  出力接続部
【図１】
0003211526.tif 000003
【図２】
0003211526.tif 000004
【図３】
0003211526.tif 000005